(57)【要約】【課題】ジャム発生時に印刷後かつ定着前の記録媒体はその搬送路でローラに一定時間ニップされたままになると、ニップされている部分とそうでない部分で記録媒体に吐出されたインクの乾燥状態の差により色差が発生して画像の品位が低下する。【解決手段】記録動作中に記録停止の指示があると、画像が記録され、かつ、定着前の記録媒体をニップしている複数の搬送ローラ対の少なくとも一部をニップ解除する。【選択図】  図４
2015199296.tif 000002
【特許請求の範囲】
【請求項１】
記録媒体を複数の搬送ローラ対により挟持し、前記記録媒体を搬送する搬送手段と、
前記記録媒体に画像を記録する記録手段と、
前記記録手段より前記記録媒体の搬送方向に関し下流側に備えられ、前記記録手段により記録がなされた前記記録媒体の画像を定着する定着手段と、
前記記録手段による記録動作中に記録停止の指示を受信すると、前記複数の搬送ローラ対のうち、前記記録手段により記録がなされ、かつ、前記定着手段による定着前の画像を含む記録媒体を挟持している搬送ローラ対の少なくとも一部のニップ状態を解除するよう制御する制御手段とを有することを特徴とする記録装置。
【請求項２】
前記記録媒体はロール状の連続シートであり、
前記搬送手段の搬送路にあり、前記記録手段と前記定着手段との間に備えられ、前記連続シートをカットするカット手段をさらに有することを特徴とする請求項１に記載の記録装置。
【請求項３】
前記制御手段は、前記記録手段により記録がなされ、かつ、前記定着手段による定着前の画像を含む記録媒体を挟持している全ての搬送ローラのニップ状態を解除するよう制御することを特徴とする請求項１又は２に記載の記録装置。
【請求項４】
前記カット手段によりカットされ、前記定着手段により画像が定着されたシートを装置の外に排出する排出手段をさらに有し、
前記排出手段は複数の排出トレイを有することを特徴とする請求項２に記載の記録装置。
【請求項５】
前記記録装置は、前記連続シートへの両面記録が可能であり、
前記制御手段は、前記連続シートの表面記録中に記録停止の指示を受信すると、前記記録手段により記録がなされ、かつ、前記定着手段による定着前の画像を含む前記連続シートを挟持している搬送ローラ対のうち、ニップ状態の解除を行わない搬送ローラ対の位置に対応する画像は不良画像とみなし、記録再開後の裏面記録時には前記不良画像が記録された位置の前記連続シートの裏面には記録を行わないよう前記記録手段を制御することを特徴とする請求項４に記載の記録装置。
【請求項６】
前記カット手段によりカットされ、前記不良画像を含むシートは、前記複数の排出トレイのうち、特定のトレイに排出されることを特徴とする請求項５に記載の記録装置。
【請求項７】
前記制御手段は、前記連続シートの裏面記録中に記録停止の指示を受信した場合、前記記録手段により画像の記録がなされ、かつ、前記定着手段により画像の定着がなされた前記カット手段によりカットされたシートは、適切に画像が記録されたものとして、前記排出手段を制御して装置の外に排出するよう制御することを特徴とする請求項５に記載の記録装置。
【請求項８】
前記搬送手段による搬送路は、垂直な搬送路と水平な搬送路とを含み、
前記制御手段は、前記カット手段により前記連続シートのカットがなされた後に、記録停止の指示を受信すると、前記垂直な搬送路に備えられて前記シートを挟持する搬送ローラ対はニップ状態を解除せず、前記水平な搬送路に備えられて前記シートを挟持する搬送ローラ対はニップ状態を解除するよう制御することを特徴とする請求項５に記載の記録装置。
【請求項９】
前記制御手段はさらに、前記垂直な搬送路に備えられてニップ状態を解除しなかった搬送ローラ対の位置に対応する、前記記録手段により記録がなされ、かつ、前記定着手段による定着前の画像を不良画像をみなし、記録再開後に前記不良画像を含む前記シートを前記排出手段により装置の外に排出するよう制御することを特徴とする請求項８に記載の記録装置。
【請求項１０】
前記記録停止の指示、又は、前記ニップ状態の解除から予め定められた時間が経過した場合、前記記録手段により記録がなされ、前記定着手段による定着前の画像の全てを不良画像とすること特徴とする請求項１乃至９のいずれか１項に記載の記録装置。
【請求項１１】
前記記録手段は、前記記録媒体の幅をカバーするインクジェット記録ヘッドを備えることを特徴とする請求項１乃至１０のいずれか１項に記載の記録装置。
【請求項１２】
記録媒体を複数の搬送ローラ対により挟持し、前記記録媒体を搬送する搬送手段と、前記記録媒体に画像を記録する記録手段と、前記記録手段より前記記録媒体の搬送方向に関し下流側に備えられ、前記記録手段により記録がなされた前記記録媒体の画像を定着する定着手段とを備えた記録装置の記録方法であって、
前記記録手段による記録動作中に記録停止の指示を受信すると、前記複数の搬送ローラ対のうち、前記記録手段により記録がなされ、かつ、前記定着手段による定着前の画像を含む記録媒体を挟持している搬送ローラ対の少なくとも一部のニップ状態を解除するよう制御することを特徴とする記録方法。
【発明の詳細な説明】
【技術分野】
【０００１】
本発明は記録装置及びその装置の定着方法に関し、特に、例えば、インクジェット方式に従って記録を行う記録装置及び記録方法に関する。
【背景技術】
【０００２】
記録媒体にインクを吐出して画像を記録しこれを定着させるインクジェット記録装置において、記録動作中から停止させる記録停止処理が重要となる。記録停止処理は、ユーザメンテナンス時やジャム発生時などに必要となる。記録停止時に、記録後かつ定着前の記録媒体はその搬送路で搬送ローラに一定時間ニップされたままになると、ニップされている部分とそうでない部分とでは、記録媒体の表面に吐出されたインクの乾燥状態の差により色差が発生する。そして、この色差は画像品質の劣化となって目に見えてしまう。この色差は一度発生すると、たとえ、後にこの画像を定着させたとしても改善されることはないため、印刷成果物の品位低下の原因となる。
【０００３】
特許文献１は、ジャムが発生した時に記録媒体の搬送路に滞留するジャムが発生していない記録媒体を一時的に退避し、ジャム処理終了後にこれを搬送路に再給紙して画像形成部に搬送する循環搬送手段を備える画像形成装置を開示している。引用文献１によれば、ジャムが発生していない記録媒体を一時的に搬送路外に排出して、一旦所定の場所に収容し、ジャム処理終了後にこれを搬送路に再給紙して画像形成部に搬送する。そのため、ジャム発生時にユーザはジャムの原因となった記録媒体だけを除去したのち画像形成装置の動作を再開すれば良い。これにより、それ以外の記録媒体の大部分は循環搬送手段により画像形成部に再給紙されて再利用されることになる。
【０００４】
また、特許文献２に開示される画像形成装置は、ジャム発生時にカムを駆動して定着部の加熱ユニットと加圧ローラとのニップの解除と復帰をユーザの操作によらず自動で行う構成を備えている。
【先行技術文献】
【特許文献】
【０００５】
【特許文献１】特開２００１−２５３５９１号公報
【特許文献２】特開２０１０−１３９７３２号公報
【発明の概要】
【発明が解決しようとする課題】
【０００６】
しかしながら、特許文献１に開示する構成では、通常の搬送路の他に退避用の搬送路を別途設ける必要があるため、装置サイズが大型化し装置のコストがアップするという問題がある。また、特許文献２に開示する構成では、定着部のニップを解除することができるが、記録後かつ定着前の搬送路にニップされた記録媒体はニップされたままなので、依然として色差が発生しまう。これは品質の劣化した記録画像の出力につながってしまう。
【０００７】
本発明は上記従来例に鑑みてなされたもので、装置を大型化することなく、記録停止処理により記録後かつ定着前の搬送路にニップされた記録媒体を適切に処理し、高品位の画像を出力可能な記録装置及び記録方法を提供することを目的とする。
【課題を解決するための手段】
【０００８】
上記目的を達成するために本発明の記録装置は次のような構成からなる。
【０００９】
即ち、記録媒体を複数の搬送ローラ対により挟持し、前記記録媒体を搬送する搬送手段と、前記記録媒体に画像を記録する記録手段と、前記記録手段より前記記録媒体の搬送方向に関し下流側に備えられ、前記記録手段により記録がなされた前記記録媒体の画像を定着する定着手段と、前記記録手段による記録動作中に記録停止の指示を受信すると、前記複数の搬送ローラ対のうち、前記記録手段により記録がなされ、かつ、前記定着手段による定着前の画像を含む記録媒体を挟持している搬送ローラ対の少なくとも一部のニップ状態を解除するよう制御する制御手段とを有することを特徴とする。
【００１０】
また本発明を別の側面から見れば、記録媒体を複数の搬送ローラ対により挟持し、前記記録媒体を搬送する搬送手段と、前記記録媒体に画像を記録する記録手段と、前記記録手段より前記記録媒体の搬送方向に関し下流側に備えられ、前記記録手段により記録がなされた前記記録媒体の画像を定着する定着手段とを備えた記録装置の記録方法であって、前記記録手段による記録動作中に記録停止の指示を受信すると、前記複数の搬送ローラ対のうち、前記記録手段により記録がなされ、かつ、前記定着手段による定着前の画像を含む記録媒体を挟持している搬送ローラ対の少なくとも一部のニップ状態を解除するよう制御することを特徴とする記録方法を備える。
【発明の効果】
【００１１】
従って本発明によれば、記録動作中に記録停止を行っても、記録済みで定着前の画像を含む記録媒体を挟持する複数の搬送ローラ対のうちの少なくとも一部のニップ状態を解除することができる。これにより、装置サイズを大型化することなく、定着前の色差発生による不良画像の発生を低減させることができる。
【００１２】
また、例えば、不良画像を含む記録媒体を適切に処理された記録媒体とを区別して排出することもできる。
【図面の簡単な説明】
【００１３】
【図１】本発明の代表的な実施例であるインクジェット記録装置の内部構成を示す概略側断面図である。
【図２】図１に示す記録装置における片面記録時の動作を説明するための図である。
【図３】図１に示す記録装置における両面記録時の動作を説明するための図である。
【図４】実施例１に従う表面記録中の記録停止処理におけるニップ解除構成を示す図である。
【図５】実施例２に従う表面記録中の記録停止処理におけるニップ解除構成を示す図である。
【図６】実施例３に従う裏面記録中の記録停止処理におけるニップ解除構成を示す図である。
【発明を実施するための形態】
【００１４】
以下添付図面を参照して本発明の好適な実施例について、さらに具体的かつ詳細に説明する。なお、既に説明した部分には同一符号を付し重複説明を省略する。
【００１５】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００１６】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１７】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１８】
またさらに、「ノズル」とは、特にことわらない限り吐出口ないしこれに連通する液路およびインク吐出に利用されるエネルギーを発生する素子を総括して言うものとする。
【００１９】
以下に用いる記録ヘッド用の素子基板（ヘッド基板）とは、シリコン半導体からなる単なる基体を指し示すものではなく、各素子や配線等が設けられた構成を差し示すものである。
【００２０】
さらに、基板上とは、単に素子基板の上を指し示すだけでなく、素子基板の表面、表面近傍の素子基板内部側をも示すものである。また、本発明でいう「作り込み（built-in）」とは、別体の各素子を単に基体表面上に別体として配置することを指し示している言葉ではなく、各素子を半導体回路の製造工程等によって素子板上に一体的に形成、製造することを示すものである。
【００２１】
次に、インクジェット記録装置の実施例について説明する。この記録装置は、ロール状に巻かれた連続シート（記録媒体）を使用し、片面記録及び両面記録の両方に対応した高速ラインプリンタであり。例えば、プリントラボ等における大量枚数のプリント分野に適している。
【００２２】
図１は本発明の代表的な実施例であるインクジェット記録装置（以下、記録装置）の内部概略構成を示す側断面図である。装置内部は大きくは、シート供給部１、デカール部２、斜行矯正部３、記録部４、クリーニング部（不図示）、検査部５、カッタ部６、情報記録部７、定着部８、シート巻取部９、排出搬送部１０、ソータ部１１、排出トレイ１２、制御部１３などに分けられる。シートは、図中の実線で示したシート搬送経路に沿ってローラ対やベルトからなる搬送機構で搬送され、各ユニットで処理がなされる。
【００２３】
シート供給部１はロール状に巻かれた連続シートを収納して供給するユニットである。シート供給部１は、２つのロールＲ１、Ｒ２を収納することが可能であり、択一的にシートを引き出して供給する構成となっている。なお、収納可能なロールは２つであることに限定はされず、１つ、あるいは３つ以上を収納するものであってもよい。デカール部２は、シート供給部１から供給されたシートのカール（反り）を軽減させるユニットである。デカール部２では、１つの駆動ローラに対して２つのピンチローラを用いて、カールの逆向きの反りを与えるようにシートを湾曲させてしごくことでカールを軽減させる。斜行矯正部３は、デカール部２を通過したシートの斜行（本来の進行方向に対する傾き）を矯正するユニットである。基準となる側のシート端部をガイド部材に押し付けることにより、シートの斜行が矯正される。
【００２４】
記録部４は、搬送されるシートに対して記録ヘッド部１４によりシートの上に画像を形成するユニットである。記録部４は、シートを搬送する複数の搬送ローラも備えている。記録ヘッド部１４は、使用が想定されるシートの最大幅をカバーする範囲でインクジェット方式のノズル列が形成されたフルライン記録ヘッド（インクジェット記録ヘッド）を有する。記録ヘッド部１４は、複数の記録ヘッドがシートの搬送方向に沿って平行に配置されている。この実施例ではＫ（ブラック）、Ｃ（シアン）、Ｍ（マゼンタ）、Ｙ（イエロ）の４色に対応した４つの記録ヘッドを有する。記録ヘッドの並び順はシート搬送上流側から、Ｋ、Ｃ、Ｍ、Ｙとなっている。なお、インク色数及び記録ヘッドの数は４つには限定はされない。例えば、Ｃ（シアン）、Ｍ（マゼンタ）、Ｙ（イエロ）、ＬＣ（ライトシアン）、ＬＭ（ライトマゼンタ）、Ｇ（グレー）、Ｋ（ブラック）の７色に対応した７つの記録ヘッドを有する構成でも良い。
【００２５】
また、インクジェット方式としては、発熱素子を用いた方式、ピエゾ素子を用いた方式、静電素子を用いた方式、ＭＥＭＳ素子を用いた方式等を採用することができる。各色のインクは、インクタンクからそれぞれインクチューブを介して記録ヘッド部１４に供給される。
【００２６】
検査部５は、記録部４でシートに記録された検査パターンや画像を光学的に読み取って、記録ヘッドのノズルの状態、シート搬送状態、画像位置等を検査するユニットである。検査部５は実際に画像を読み取り画像データを生成するスキャナ部と読み取った画像を解析して記録部４へ解析結果を返す画像解析部より構成されている。検査部５はＣＣＤラインセンサであり、シート搬送方向と垂直な方向にセンサが並べられている。
【００２７】
カッタ部６は、記録後の記録媒体を所定長さにカットする機械的なカッタを備えたユニットである。カッタ部６は、記録媒体を次工程に送り出すための複数の搬送ローラも備えている。情報記録部７は、カットされた記録媒体の裏面に記録のシリアル番号や日付などの記録情報を記録するユニットである。定着部８は、記録部４で記録された記録媒体を加熱して、付与されたインクを短時間に乾燥させるユニットである。定着部８は、記録媒体を次工程に送り出すための搬送ベルト及び搬送ローラも備えている。
【００２８】
シート巻取部９は、両面記録を行う際に表面記録が終了した連続ロール紙のような記録媒体を一時的に巻き取るユニットである。シート巻取部９は記録媒体を巻き取るための回転する巻取ドラムを備えている。表面記録が済んでカットされていない連続ロール紙のような記録媒体は巻取ドラムに一時的に巻き取られる。巻き取りが終了後、巻取ドラムが逆回転して巻き取り済み記録媒体はデカール部２に供給され、記録部４に送られる。この記録媒体は表裏反転しているので記録部４で裏面に記録を行うことができる。両面記録のより具体的な動作については後述する。
【００２９】
排出搬送部１０は、カッタ部６でカットされ定着部８で乾燥させられた記録媒体を搬送して、ソータ部１１まで記録媒体を受け渡すためのユニットである。ソータ部１１は必要に応じて記録済み記録媒体をグループ毎に排出トレイ１２の異なるトレイに振り分けて排出するユニットである。制御部１３は、記録装置各部の制御を司るユニットである。制御部１３は、ＣＰＵ、メモリ、各種Ｉ／Ｏインタフェースを備えたコントローラ１５及び電源を有する。記録装置の動作は、コントローラ１５又はコントローラ１５にＩ／Ｏインタフェースを介して接続されるホストコンピュータ等の外部機器１６からの指令に基づいて制御される。
【００３０】
なお、上述のように図１に示した記録装置は、片面記録及び両面記録の両方に対応しているが、図２と図３とはそれぞれ、図１に示す記録装置において片面記録時の動作と両面記録時の動作を説明するための図である。
【００３１】
次に、記録時の基本動作について説明する。記録は、片面記録と両面記録とでは動作が異なるので、それぞれについて説明する。
【００３２】
図２は片面記録時の動作を説明するための図である。
【００３３】
図２にはシート供給部１から供給された記録媒体が記録されて排出トレイ１２に排出されるまでの搬送経路を太線で示している。シート供給部１から供給され、デカール部２、斜行矯正部３でそれぞれ処理された記録媒体は、記録部４において表面への記録がなされる。記録された記録媒体は検査部５を経て、カッタ部６において予め設定されている所定の単位長さ毎にカットされる。カットされた記録媒体は、必要に応じて情報記録部７で記録媒体の裏面に記録情報が記録される。そして、カットされた記録媒体は一枚ずつ定着部８に搬送され乾燥が行なわれる。その後、排出搬送部１０を経由して、ソータ部１１の排出トレイ１２に順次排出され積載されていく。
【００３４】
図３は両面記録時の動作を説明するための図である。
【００３５】
両面記録では、表面記録シーケンスに次いで裏面記録シーケンスを実行する。最初の表面記録シーケンスでは、シート供給部１から検査部５までの各ユニットでの動作は上述の片面記録の動作と同じである。しかしながら、カッタ部６ではカット動作は行わずに、連続した記録媒体のまま定着部８に搬送される。定着部８での表面のインク乾燥の後、排出搬送部１０の側に向かう経路ではなく、シート巻取部９の側に向かう経路に記録媒体が導入される。
【００３６】
導入された記録媒体は、順方向（図面では反時計回り方向）に回転するシート巻取部９の巻取ドラムに巻き取られていく。記録部４において、予定された表面の記録が全て終了すると、カッタ部６にて連続した記録媒体の記録領域の後端がカットされる。そのカット位置を基準に、搬送方向下流側（記録された側）の連続した記録媒体は定着部８を経てシート巻取部９で記録媒体後端（カット位置）まで全て巻き取られる。一方、カット位置よりも搬送方向上流側の連続した記録媒体は、記録媒体先端（カット位置）がデカール部２に残らないように、シート供給部１に巻き戻される。
【００３７】
以上の表面記録シーケンスの後に、記録動作は裏面記録シーケンスに切り替わる。
【００３８】
シート巻取部９の巻取ドラムが巻き取り時とは逆方向（図面では時計回り方向）に回転する。巻き取られた記録媒体の端部（巻き取り時の記録媒体後端は、送り出し時には記録媒体先端になる）はデカール部２に送り込まれる。デカール部２では先とは逆向きのカール矯正がなされる。これは、巻取ドラムに巻かれた記録媒体は、シート供給部１でのロールとは表裏反転して巻かれ、逆向きのカールとなっているためである。その後、斜行矯正部３を経て、記録部４で表面記録シーケンスにおいてカットされた記録媒体の裏面に記録が行なわれる。記録された記録媒体は検査部５を経て、カッタ部６において予め設定されている所定の単位長さ毎にカットされる。この時点でカットされた記録媒体は両面に記録されているので、情報記録部７での記録はなされない。カットされた記録媒体は一枚ずつ定着部８に搬送され、排出搬送部１０を経由して、ソータ部１１の排出トレイ１２に順次排出され積載されていく。
【００３９】
次に、上述の構成の記録装置で実行する記録停止処理についての３つの実施例について説明する。
【実施例１】
【００４０】
図４は実施例１に従う表面記録中の記録停止処理におけるニップ解除構成を示す図である。図４に示す記録部４から定着部８までの記録媒体の搬送路に備えられた複数の搬送ローラ対５０はニップ解除機構を備えている。図４において、矢印で示された部分がニップ解除された搬送ローラ対を示す。
【００４１】
この記録装置ではオペレータからの記録停止信号を受信することに応じて、記録動作中であってもその記録を停止する。そして、画像記録済みかつ定着済みの記録媒体をニップ（挟持）している搬送ローラ対５０について、制御部１３は所定の条件に基づいて各搬送ローラ対５０のニップ解除の判断を行い、ニップ解除する。一方、ニップ解除しない搬送ローラ対５０がニップしている記録媒体上の画像は不良画像として扱う。
【００４２】
この実施例でいう所定の条件とは、該当する記録媒体が連続した記録媒体であるか、又は、カットされた記録媒体かである。
【００４３】
図４では、連続したロール紙のような記録媒体に記録を実行していて、全ての搬送ローラ対５０がニップ解除する判断された例を示している。即ち、搬送ローラ対５０がニップしている記録媒体はない為、不良画像も発生しない。記録装置の記録動作が停止後、オペレータが必要なメンテナナンス作業を行う。その後、オペレータは記録動作の再開を指示すると、その指示に応じて記録装置は記録を再開する。
【００４４】
前述のように、オペレータによるメンテナンス作業中に、記録後かつ定着前の記録媒体は搬送路でローラに一定時間以上ニップされたままになると、ニップされている部分とそうでない部分とでは記録媒体の表面に吐出されたインクの乾燥状態に差が生じる。その差は色差となって顕在化し、画像不良の原因となる。この画像不良は一度発生すると、後で定着部８により定着動作を実行したとしても改善されることはない。この画像不良を防ぐために、この実施例では連続した記録媒体への記録時には、全ての搬送ローラ対５０をニップ解除している。
【００４５】
従って以上説明した実施例に従えば、ジャム処理後の記録再開時にジャム前に記録されてニップ解除されていた記録媒体はそのまま定着部へ搬送され、想定通りの色味に定着され、適切な印刷成果物として排紙することができる。
【００４６】
なお、ニップ解除された記録媒体も記録停止時間が長時間になる場合、記録媒体の搬送路での姿勢によって記録媒体にカールが付いてしまい、印刷成果物としては適切なものではなくなる可能性がある。これを回避するために、記録停止時またはニップ解除時から所定の時間以上が経過した場合には、ニップ解除された記録媒体を含めた画像記録済みかつ定着前の記録媒体に記録された画像全てを不良画像と判断してもよい。
【００４７】
また、定着部８より搬送路の下流側に位置する記録媒体は記録停止時でも、既にインクが定着して色味が安定しているため、ニップされていても色差は発生しない。例えば、図４に示した定着部８とシート巻取部９との間に位置する搬送ローラ対は記録停止時でもニップし続けても良い。
【実施例２】
【００４８】
図５は実施例２に従う表面記録中の記録停止処理におけるニップ解除構成を示す図である。実施例２は実施例１と比べて、図５に示すカッタ６１の直上に位置する１対の搬送ローラ対５０’のニップ解除を行わない点で異なる。なお、図５において、１対の搬送ローラ対５０’以外の構成は図４と同じなので、その説明は省略する。
【００４９】
この実施例では、ニップ解除しない搬送ローラ対５０’がニップしている記録媒体に記録された画像は不良画像とみなす。なぜなら、前述のようにオペレータによるメンテナンス作業中に記録後かつ定着前の記録媒体は搬送路でローラに一定時間ニップされたままになると、ニップされている部分とそうでない部分とでは記録媒体の表面に吐出されたインクの乾燥状態の差が生じる。その差は色差として顕在化し、画像不良の原因となるからである。
【００５０】
ニップされている連続した記録媒体の場所は、例えば、記録開始タイミングと搬送時間と搬送速度から計算することにより特定することができる。
【００５１】
記録再開後、不良画像箇所を含む連続した記録媒体５５は他の成果物となる箇所と一体に搬送路を下流へと搬送され、シート巻取部９に巻取られる。そして、裏面記録時に再度記録部４で連続した記録媒体の裏面に記録が行なわれる。この時、表面記録時に不良画像とみなした箇所の裏面には裏面記録時に画像記録を行わないようにする。
【００５２】
不良画像を含む連続した記録媒体は裏面記録の工程でカッタ部６において予め設定されている所定の単位長さ毎にカットされて定形カット紙のような記録媒体となる。この時、不良画像を含むカットされた記録媒体は、搬送路の下流において、適切に処理された印刷成果物と区別して特定のトレイ（例えば、図５の３つの排出トレイの最下部トレイ）へ排出する。なお、不良画像を含む記録媒体を破棄するために排出される特定のトレイは、図５の３つの排出トレイとは別に設けられても良い。
【００５３】
従って以上説明した実施例に従えば、複数の搬送ローラ対の内の一部を意図的にニップ状態にし、この位置に記録された画像を特定し、この部分の画像を含む記録媒体をカットして、特定の排出トレイに区別して排出することができる。このようにして、排出トレイ１２に排出される印刷成果物の不良を低減することができる。
【実施例３】
【００５４】
連続ロール紙のような記録媒体は裏面記録の工程でカッタ部６において予め設定されている所定の単位長さ毎にカットされる。この実施例ではジャム発生箇所が定着部８よりも搬送路の下流にある場合における、そのジャムによる記録停止処理におけるニップ解除構成の例を説明する。
【００５５】
図６は実施例３に従う裏面記録中の記録停止処理におけるニップ解除構成を示す図である。図６において、矢印で示された部分がニップ解除された搬送ローラ対を示し、垂直な搬送路に位置する複数の搬送ローラ対５０’はニップ状態を解除されていない。
【００５６】
オペレータの指示により、又は、ジャム発生により自動的に記録装置が記録動作を停止する。このとき、図６に示すように、定着部８よりも搬送路の下流にあるジャム発生箇所６０よりもさらに搬送路の下流にあるカットされた記録媒体５８は記録・定着共に完了しているので印刷成果物として排出する。
【００５７】
そして、画像記録済みかつ定着済みの記録媒体をニップしている搬送ローラ対５０について、制御部１３は実施例１と同様に所定の条件に基づいて各搬送ローラ対５０のニップ解除の判断を行い、ニップ解除する。一方、ニップ解除しない搬送ローラ対５０がニップしている記録媒体に記録された画像は不良画像とみなす。所定の条件は、実施例１で説明したのと同様である。
【００５８】
図６はカットされた記録媒体に裏面記録中に記録動作が停止となり、搬送ローラ対５０をニップ解除する一方、搬送ローラ対５０’はニップ解除しないと判断された例を示している。図６に示すように、搬送ローラ対５０’は搬送路が垂直となっており、もし搬送ローラ対５０’はニップ解除すると、カットされた記録媒体がその自重で搬送路から落下する。これを防止するためにも、搬送ローラ対５０’はニップ状態を維持するのである。
【００５９】
図６に示す例では、記録装置の記録動作停止後、オペレータはジャム発生箇所６０のカットされた記録媒体を装置より取り除く。その後、オペレータは記録動作の再開を指示すると、記録装置は記録動作を再開する。
【００６０】
搬送路が水平にあり、ニップ解除された搬送ローラ対５０の位置にあるカットされた記録媒体５６は、ジャム処理後の記録再開時に、再びニップされそのまま定着部８へ搬送される。このような記録媒体は想定通りの色味に定着され適切な印刷成果物として排紙される。一方で、搬送路が垂直にあり、ニップ解除しなかった搬送ローラ対５０’にニップされたカットされた記録媒体に記録された画像は不良画像とみなし、この画像を含むカットされた記録媒体５５を特定する。ニップされているカットされた記録媒体は、例えば、記録後の搬送時間と搬送速度から計算することにより特定することができる。
【００６１】
不良画像を含むカットされた記録媒体５５もまた、ジャム処理後の記録再開時に搬送される。しかしながら、この記録媒体は、例えば、搬送路の下流において、適切に記録された印刷成果物と区別されて特定トレイ（例えば、図６の３つの排出トレイの最下部トレイ）へ排出される。
【００６２】
従って以上説明した実施例に従えば、排出トレイ１２に排出される適切に記録処理された印刷成果物に不良画像を含む印刷成果物が混入するのを防止することができる。
【００６３】
なお、定着部８より搬送路の下流にあり、ジャム発生箇所６０よりも上流にあるカットされた記録媒体５７は記録停止時でも、既にインクが定着して色味が安定し、ニップされていても色差は発生しない。従って、この記録媒体は、そのまま適切に処理されたものとして排出される。
【符号の説明】
【００６４】
４  記録部、８  定着部、９  シート巻取部、１３  制御部、１４  記録ヘッド部、
５０  搬送ローラ対、５５  記録媒体
【図１】
2015199296.tif 000003
【図２】
2015199296.tif 000004
【図３】
2015199296.tif 000005
【図４】
2015199296.tif 000006
【図５】
2015199296.tif 000007
【図６】
2015199296.tif 000008